(57)【要約】【課題】取扱い性や使い勝手がよく、カビ繁殖を継続的に抑制・防除可能で信頼性が高くコスト的に割安感のある抗菌剤反復散布具を提供する点にある。【解決手段】散布ケースに無機系の抗菌素材を含む抗菌剤２を収容するとともに、浸漬状態で収容されている抗菌剤２の一部を水中散布するための散布手段３を備える。【選択図】　　　　図１
2004065460.tif 000002
【特許請求の範囲】
【請求項１】
散布ケースに無機系の抗菌素材を含む抗菌剤を収容するとともに、浸漬状態で収容されている抗菌剤の一部を水中散布するための散布手段を備える抗菌剤反復散布具。
【請求項２】
無機系の抗菌素材を含む抗菌剤が散布ケースに収容され、洗濯機の使用に伴う洗濯槽における水中攪拌に伴って、収容されている抗菌剤の一部が水中散布される散布手段を備える抗菌剤反復散布具。
【請求項３】
前記散布ケースには、浮力形成をなすフロート手段が設けられている請求項１又は２記載の抗菌剤反復散布具。
【請求項４】
収容されている無機系の抗菌素材を含む抗菌剤の一部が水中散布される散布手段を備えるとともに、浮力形成をなすフロート手段が設けられている散布ケースと、炭化物を収容してある水透過性の袋体とを、水通過性の通過目が周面に形成されている外殻かご体に収容して構成されている抗菌剤反復散布具。
【請求項５】
収容されている無機系の抗菌素材を含む抗菌剤の一部が水中散布される散布手段を備える散布ケースと、炭化物を収容してある水透過性の袋体と，浮力形成をなすフロート手段とを、水通過性の通過目が周面に形成されている外殻かご体に収容して構成されている抗菌剤反復散布具。
【請求項６】
前記袋体に収容されている炭化物が、少なくとも粉状集合体、粒状集合体、小片集合体の何れかの形態をとる備長炭から構成されている請求項３又は４記載の抗菌剤反復散布具。
【請求項７】
前記散布ケースが，密閉容器から構成され、前記散布手段が、この密閉容器に穿孔した少なくとも一つの小径孔から構成されている請求項１、２、３、４、５又は６記載の抗菌剤反復散布具。
【請求項８】
前記散布手段が、開閉蓋付で筒断面形状が筒長手方向に設定長さに亘って同じに形成された有底筒状のケース本体を備えて、溶出制御剤を混練した粉末状集合体からなる無機系の抗菌素材を含む固形状態の抗菌剤を収容する散布ケースと、ケース開閉側に露出する抗菌剤の表面を覆う溶け出し調整手段と、散布ケースの抗菌剤の非収容部分又はケース蓋体に設けられた散布ケース内外を連通する散布孔とから構成されている請求項１、２、３、４、５又は６記載の抗菌剤反復散布具。
【請求項９】
前記散布ケースが、少なくとも一端部が開口するとともに、内部に溶出制御剤を混練した抗菌剤を収容した筒状容器から構成され、容器開口に対応して露出する抗菌剤の均等な溶け出し構造によって散布手段が構成されている請求項１、２、３、４、５又は６記載の抗菌剤反復散布具。
【発明の詳細な説明】
【０００１】
【発明の属する技術分野】
本発明は、カビ防除に用いる抗菌剤反復散布具に関する。
【０００２】
【従来の技術】
一般家庭においてカビに対する対策としては、食品にあっては衛生面に注意したり、家具や建屋、特に浴室にあっては定期的な清掃によって発生を防止したり、発生個所には防カビ剤等の薬剤等を用いて駆除したりすることが行われている。
このようなカビの発生防止やカビの駆除は、カビの発生しやすい場所や、すでにカビが繁殖している場所等のように、認識のある場所や直接に見える場所に対して行われる反面、例えば、洗濯機の洗濯槽の外面部分や、洗濯槽を包囲する外槽内面部分等の直接に見えないような個所におけるカビの繁殖に対しては、一般的な認識がなく多くの場合、そのまま放置されている現状にある。
しかし、従来から洗濯機にカビの繁殖があるのは周知のことであり、従来から洗濯槽のカビ除去剤は市販されている。具体的には、洗濯槽に水を満杯に入れて、固形化されたカビ除去剤を投入して全部を一度に溶かすことによって、洗濯槽を防除するカビ除去剤が一般的である。
【０００３】
【発明が解決しようとする課題】
ところが、この種の洗濯槽のカビ除去剤は、塩素系や非塩素系等の漂白剤、次亜塩素酸ソーダ、過酸化水素、第４級アンモニュウム塩等の殺菌剤、ＴＢＺ，プレベントールＡ−３等の防カビ剤等が用いられ、カビ駆除に対して有効性がある反面、人体に害する薬材が使用されていることもあって、洗濯とは全く別に単独使用しなければならない使用上に制約があり，　取扱いに注意が必要で取扱い性や使い勝手が悪い問題があるとともに、何れのものも長期にカビの繁殖を抑制する効果は低く、定期的に同様の防カビ作業を実施しなければ効果を維持することができないと言った効果上の問題があり、さらには、一度に使い切てしまう商品である点で割高感があることの指摘が存在している。
また、この種の商品は、洗濯とは別に洗濯槽を清掃することを意識して実施しなければならないので、購入しても使い忘れて実際に使用されないことも多い商品傾向を示すものであった。
【０００４】
本発明は、上述の実状に鑑みて為されたものであって、その主たる課題は、取扱い性や使い勝手がよく、カビ繁殖を継続的に抑制・防除可能で信頼性が高くコスト的に割安感のある抗菌剤反復散布具を提供する点にある。
【０００５】
【課題を解決するための手段】
本発明の請求項１による抗菌剤反復散布具の特徴構成は、散布ケースに無機系の抗菌素材を含む抗菌剤を収容するとともに、浸漬状態で収容されている抗菌剤の一部を水中散布するための散布手段を備える点にある。
【０００６】
上記特徴構成によれば、散布ケース内に収容された抗菌剤がなくなるまで、反復した浸漬においても抗菌剤を散布することができるので、取扱い性や使い勝手がよく、カビ繁殖を継続的に抑制・防除可能で信頼性が高くコスト的に割安感のある商品を形成することができる。
また、無機系の抗菌剤は人に対して安全性が高く、洗濯槽や浴槽の抗菌に、反復して使用することができる。
【０００７】
本発明の請求項２による抗菌剤反復散布具の特徴構成は、無機系の抗菌素材を含む抗菌剤が散布ケースに収容され、洗濯機の使用に伴う洗濯槽における水中攪拌に伴って、収容されている抗菌剤の一部が水中散布される散布手段を備える点にある。
【０００８】
上記特徴構成によれば、少なくとも、洗い、すすぎ洗いの何れかを含む洗濯機の使用に伴う洗濯槽における水中攪拌に伴って、抗菌剤が洗濯槽内の全体に拡散して、洗濯槽部分に繁殖するカビと抗菌剤を接触状態にすることができ、抗菌剤の効能を作用させることができるとともに、無機系の抗菌剤は人に対して安全性が高く，　通常の洗濯と一緒に使用することができることに加えて、散布ケースに、一回の散布量の複数倍以上の抗菌剤を収容しておくことによって、散布ケース内の抗菌剤がなくなってしまうまで、反復使用することができるので、従来の洗濯槽用防カビ剤のように、
洗濯とは別に防カビ作業を実施しなければならない手間の問題、
定期的に同様の防カビ作業を実施しなければならない取扱い性の悪い問題、
一度の使い切りで使用コスト的に割高感のある問題、
洗濯とは別に洗濯槽を清掃しなければならないので、購入後に使い忘れてしまうような商品問題があるものに比べて、
▲１▼　洗濯と一緒に防カビ作業を実施することができるので、取扱い性や使い勝手がよく、
▲２▼　散布ケースに収容された抗菌剤がなくなるまで反復使用することができるので、例えば、毎日洗濯する毎に本発明の抗菌剤反復散布具を洗濯槽に入れるだけで、毎日洗濯槽が抗菌されることになると言うように、カビ繁殖を継続的に抑制・防除可能で信頼性が高いとともにコスト的に割安感のある効果を奏する。
【０００９】
本発明の請求項３による抗菌剤反復散布具の特徴構成は、前記散布ケースには、浮力形成をなすフロート手段が設けられている点にある。
【００１０】
上記特徴構成によれば、少なくとも、洗い、すすぎ洗いの何れかを含む洗濯槽における水中攪拌に伴って、洗濯槽内で当該抗菌剤反復散布具を水中遊泳させることができるので、散布ケースから散布された抗菌剤を洗濯槽内に均等に分布させることができる。
【００１１】
本発明の請求項４による抗菌剤反復散布具の特徴構成は、収容されている無機系の抗菌素材を含む抗菌剤の一部が水中散布される散布手段を備えるとともに、浮力形成をなすフロート手段が設けられている散布ケースと、炭化物を収容してある水透過性の袋体とを、水通過性の通過目が周面に形成されている外殻かご体に収容して構成されている点にある。
【００１２】
上記特徴構成によれば、散布ケースのフロート手段によって水中遊泳する状態を形成することができ、この水中遊泳によって分散された抗菌剤を均等に洗濯槽内に拡散させやすい状態にすることができるとともに、炭化物によって浸漬水のカビ臭さ等の悪臭を軽減することができるので、例えば、洗濯槽に使用した場合、洗濯物と一緒に防カビ作業を実施する場合、洗濯物の抗菌と消臭とを可能にして、洗濯物の仕上がり状態を向上させることができると言うように、抗菌作用と防臭作用とによって、付加価値の高い商品を形成することができる。
【００１３】
本発明の請求項５による抗菌剤反復散布具の特徴構成は、収容されている無機系の抗菌素材を含む抗菌剤の一部が水中散布される散布手段を備える散布ケースと、炭化物を収容してある水透過性の袋体と，浮力形成をなすフロート手段とを、水通過性の通過目が周面に形成されている外殻かご体に収容して構成されている点にある。
【００１４】
上記特徴構成によれば、外殻かご体内のフロート手段によって、フロート手段によって水中遊泳する状態を形成することができ、この水中遊泳によって分散された抗菌剤を均等に洗濯槽内に拡散させやすい状態にすることができるとともに、炭化物によって浸漬水のカビ臭さ等の悪臭を軽減することができるので、例えば、洗濯槽に使用した場合、洗濯物と一緒に防カビ作業を実施する場合、洗濯物の抗菌と消臭とを可能にして、洗濯物の仕上がり状態を向上させることができると言うように、抗菌作用と防臭作用とによって、付加価値の高い商品を形成することができる。ここで、フロート手段は、外殻かご体に収容されておればよいので、袋体内に炭化物と一緒に収容されていても、散布ケース内に収容されていてもよい。
【００１５】
本発明の請求項６による抗菌剤反復散布具の特徴構成は、前記袋体に収容されている炭化物が、少なくとも粉状集合体、粒状集合体、小片集合体の何れかの形態をとる備長炭から構成されている点にある。
【００１６】
上記特徴構成によれば、備長炭を用いれば、袋体に収容する前に水洗いによって濁りを取り去ることによって、製品状態では濁りがない状態で使用することができるとともに、臭いの吸着力が優れているので、洗濯槽のカビ臭さ等の臭い除去に優れているので、防臭作用の品質を向上させることができる。
【００１７】
本発明の請求項７による抗菌剤反復散布具の特徴構成は、前記散布ケースが，密閉容器から構成され、前記散布手段が、この密閉容器に穿孔した少なくとも一つの小径孔から構成されている点にある。
【００１８】
上記特徴構成によれば、製作が簡単であるとともに、孔径の開口面積をかえることによって、散布ケースに収容されている抗菌剤の散布量を替えることができるので、洗濯槽の大きさ、反復回数、一回の総量等の条件に対応するものを製作することができ、製品の対応性を向上することができる。
【００１９】
本発明の請求項８による抗菌剤反復散布具の特徴構成は、前記散布手段が、開閉蓋付で筒断面形状が筒長手方向に設定長さに亘って同じに形成された有底筒状のケース本体を備えて、溶出制御剤を混練した粉末状集合体からなる無機系の抗菌素材を含む固形状態の抗菌剤を収容する散布ケースと、ケース開閉側に露出する抗菌剤の表面を覆う溶け出し調整手段と、散布ケースの抗菌剤の非収容部分又はケース蓋体に設けられた散布ケース内外を連通する散布孔とから構成されている点にある。
【００２０】
上記特徴構成によれば、洗濯槽における水中攪拌によって、散布孔から散布ケース内に水が入ると、ケース開口側に露出する抗菌剤が溶け出し調整手段を介して溶け出して、散布孔から外部の洗濯槽内に散布されることになるが、水と接触する抗菌剤は溶出制御剤と溶け出し調整手段によって溶け出し制御されて溶け出してゆくので、浸漬時間に沿った溶け出し量を把握することができ、抗菌剤の収容量と浸漬時間が設定されれば、反復して散布することができる回数を設定することが可能であるので、商品性が高く信頼性のある商品を形成することができる。
【００２１】
本発明の請求項９による抗菌剤反復散布具の特徴構成は、前記散布ケースが、少なくとも一端部が開口するとともに、内部に溶出制御剤を混練した抗菌剤を収容した筒状容器から構成され、容器開口に対応して露出する抗菌剤の均等な溶け出し構造によって散布手段が構成されている点にある。
【００２２】
上記特徴構成によれば、抗菌剤が容器開口の面積に対応して溶け出させることができ、浸漬時間に沿った溶け出し量を把握することができるので、抗菌剤の収容量と浸漬時間が設定されれば、反復して散布することができる回数を設定することが可能である。
【００２３】
【発明の実施の形態】
〔実施形態〕
以下、本発明の実施形態の抗菌剤反復散布具Ａを図面に基づいて説明する。この実施形態では抗菌剤反復散布具Ａを洗濯槽の抗菌に用いた例を説明する。
洗濯機としては、近年、普及が著しい全自動洗濯機を用いる。一般の全自動洗濯機は、洗い工程、すすぎ洗い工程、脱水工程を、自動又は手動で手順や工程を選択することができるとともに、各工程の時間を自動又は手動選択して使用することができるようになっている。洗濯槽は、外槽内に洗濯物を入れる回転槽が配備されて、外槽内で回転槽部分が洗い工程やすすぎ洗い工程で浸漬されることになる。
【００２４】
抗菌剤反復散布具Ａは、図１〜図４に示すように、内外を連通する多数の挿通孔１ａ…が形成された中空状の外殻かご体１内に、溶出制御剤ａを混練した粉末状集合体の形態をとる無機系の抗菌素材２Ａを含む抗菌剤２を収容するとともに、少なくとも、洗い、すすぎ洗いの何れかを含む洗濯機の使用に伴う洗濯槽における水中攪拌に伴って抗菌剤２を外部に散布可能にする散布手段３を設けてある散布ケース４と、内部に小径粒状の集合体である備長炭５と一緒に浮力を有するフロート手段であるフロート体７が袋綴じされている一対の袋体６，６とから構成されている。
【００２５】
前記外殻かご体１は、図３に示すように、全周に亘って格子状の多数の挿通孔１ａ…が形成された弾性変形力に富むやや軟質のポリプロピレンから構成され、外部からの衝撃力に対して弾性変形によって対処することが可能なものになっている。この外殻かご体１は、一対の半球形枠体１Ａ，１Ｂを、開口同士を合せた状態でその合わせ代部分を，例えば、熱融着等の接合によって球形状の外殻かご体１を形成するものである。
【００２６】
前記散布ケース４は、図４に示すように、筒断面形状が筒長手方向に設定長さに亘って同じに形成された有底筒状のケース本体４Ａと、このケース本体４Ａの開口側外周面に形成された雄ネジ４Ｂに螺合可能な雌ネジ４Ｃを開口側内周面に形成するとともに、中央部分に直径が３ｍｍ程度の散布孔４Ｅが穿孔されたケース蓋体４Ｄから形成されている。
【００２７】
この散布ケース４に収容される抗菌剤２としては、例えば、銀系の無機系の抗菌材料を単独、或いは、銀系の無機系の抗菌材料に他の金属系（例えば、銅系、亜鉛系等）の抗菌材料をそのまま或いは化学結合したものを混ぜて、金属イオンを抗菌に利用したりする抗菌材料を、そのまま、或いは、他の抗菌材料、イオン交換体、媒体物等に混ぜたりして形成された抗菌素材２Ａ・・・と、水に対して溶融性があり固形（凝固）状態で浸漬状態にすれば、時間に沿ってほぼ均等な溶け出し状態を形成することができる溶出制御剤ａあるところの、例えば、ポリエチレングリコールと、水等を混合して混練したものを乾燥する等して固形状態にしたものを用いる。ここで用いるのとは別の抗菌素材としては、酸化チタン等が上げられる。ここで用いるのとは別の溶出制御剤ａとしては、ゼラチン、飴材等が上げられる。
【００２８】
また、抗菌剤２は、水に浸漬した状態では、水と接触する部分の溶出制御剤ａが溶けるのに追従して混錬された抗菌素材２Ａが溶け出す結果、抗菌素材２Ａの部分的な溶け出しを形成することができるとともに、溶け出した抗菌素材２Ａは水中に浮遊する状態になるので、当該抗菌剤２の一部を水中分散することができる。
【００２９】
前記散布手段３は、図４に示すように、開閉蓋付で筒断面形状が筒長手方向に設定長さに亘って同じに形成された有底筒状のケース本体４Ａを備える散布ケース４に収容されている抗菌剤２と、ケース開口側に露出する抗菌剤２の表面２ａを覆うとともに溶け出した抗菌剤２が通過可能な通過目を有する不織布からなる押さえ布３Ａと、この押さえ布３Ａの開口側に配置されたケース筒断面形状に対応する板状の孔付き押さえ板３Ｂと、この孔付き押さえ板３Ｂとケース蓋体４Ｄとの間に介在した圧縮弾性体であるコイルスプリング３Ｃと、ケース蓋体４Ｄの中央部分に穿孔された散布孔４Ｅを備えて構成されている。
【００３０】
この実施形態では、押さえ布３Ａと、孔付き押さえ板３Ｂと、圧縮弾性体３Ｃとから溶け出し調整手段ｂが構成さている。この溶け出し調整手段ｂは、孔付き押さえ板３Ｂによって押さえつけられた状態であっても押さえ布３Ａがあることによって、抗菌剤２の表面２ａ全面と水とが接触する状態が形成されることができるとともに、抗菌剤２の表面２ａ側からの溶け出しに伴って圧縮弾性体３Ｃにおされて孔付き押さえ板３Ｂが追従移動してゆくので、抗菌剤２の表面２ａが常に面一に減退して行く状態を形成することができるので、均一な溶け出し部分を形成することができる。
【００３１】
前記散布ケース４のケース本体４Ａは、例えば、内径が５５ｍｍ程度で、この内径部分が筒長さ方向に４５ｍｍ程度に存在する円柱状の収容空間が形成され、前記押さえ布３Ａは、ケース本体４Ａの筒断面形状に対応する直径がほぼ５５ｍｍ程度の大きさのものであり、前記孔付き押さえ板３Ｂは、スリット状の孔３Ｂａを形成するとともに、ケース本体４Ａの筒断面形状に対応する直径の押さえ板部３Ｂａを有し、この押さえ板部３Ｂｂの周縁部にケース開口側に折り曲げ状態にガイド鍔部３Ｂｃが一体形成されている。前記コイルスプリング３Ｃは、前記孔付き押さえ板３Ｂの押さえ板部３Ｂｂとガイド鍔部３Ｂｃとの境界に圧接する外径を有するとともに、閉蓋状態のケース蓋体４Ｄと孔付き押さえ板３Ｂとの間を、抗菌剤２が水に全て溶けてなくなる孔付き押さえ板３Ｂの減退位置に至るまで圧縮状態を形成する伸張長さのものが用いられている。
【００３２】
前記袋体６は、水が透過することができるが袋内の備長炭５が袋外に流出してしまわない通過目を有する合成樹脂製の液体透過性の素材である不織布から形成され，　ほぼ正方形状である２枚の生地間に小径粒状の集合体となった備長炭５とフロート体７を挟み込む状態で重なる周縁部を熱融着して袋綴じしたものである。
【００３３】
各袋体６、６内の備長炭５は、原材を小径粒状に粉砕の後、タンブラー等で鋭角部分やささくれ部分を取り除いて粒の均質化と、水洗して浸漬の際に、浸漬水に微粉末が流出する濁りがでないような前処理がなされたものを使用している。ここで、この実施形態では、小径粒状の備長炭５を用いているが、原木の備長炭をそのまま用いるものであっても、少なくとも粉状集合体、粒状集合体、小片集合体の何れかの形態をとる備長炭を用いてもよい。
【００３４】
各袋体６、６内のフロート体７は、例えば、長方形立方体状の発泡スチロール７Ａが用いられている。この実施形態では、一対の袋体６、６に収容された発泡スチロール７Ａ、７Ａによって、抗菌剤反復散布具Ａが洗濯槽の水面に浮く程度の浮力が得られるように設定されている。
【００３５】
また、袋体６にフロート体７が収容されているので、フロート体７が崩れて発泡スチロール屑が生じた場合であっても、そのような発泡スチロール屑を袋内に留めて一定の浮力を維持することができるとともに、外殻かご体１の挿通孔１ａ…を透して、発泡スチロール７Ａ素地が直接見えるようなことがないようにする工夫にもなっている。
【００３６】
この実施形態の場合、外殻かご体１に対して、中心部に散布ケース４を位置すべく、この散布ケース４の胴部周りに対向状態に一対の袋体６，６を配置するとともに、図１に示すように、フロート体７を散布ケース４の肩部分に載せる状態、又は、図２に示すように、フロート体７を散布ケース４の胴部分に沿わせる状態に収容して、浸漬状態でフロート体７、７の浮力によって散布ケース４の散布孔４Ｅが上向き状態になろうとする浮力形態の抗菌剤反復散布具Ａに組立てられている。
【００３７】
このような構成であれば、洗濯槽に洗濯物と一緒に抗菌剤反復散布具Ａを入れ、洗濯工程である洗いやすすぎ洗いにおける洗濯槽における水中攪拌により、洗濯槽内で遊泳状態となりながら散布ケース４は浸漬されて、ケース開口側に露出する抗菌剤２が、溶け出し調整手段ｂを介して、水と接触する一部分である抗菌剤２の表面２ａが徐々に溶け出して散布孔４Ｅから洗濯槽内に散布される。
【００３８】
その結果、洗濯槽内の水に抗菌剤２が分散されて、洗濯水及び洗濯槽の浸漬された部分が抗菌され、洗濯水に浮遊するカビの胞子、洗濯槽のカビ繁殖個所に抗菌剤の効能を作用させることができる。
【００３９】
また、一回の洗濯による洗い工程とすすぎ洗い工程における水中攪拌による合計浸漬時間で散布された抗菌剤２の量が、反散布孔側に抗菌剤２の露出面が減退した量が一部流出量となり、残りの抗菌剤２が次期以降の洗濯において分割状態で流出して、抗菌剤２がなくなってしまうまで反復散布することができる。ここで、洗濯の脱水工程では、散布ケース４内の水が散布孔４Ｅから抜け出してしまうので、抗菌剤２の溶け出しは止まる。
【００４０】
〔その他の実施形態〕
１）　上記実施形態では、外殻かご体１に、抗菌剤２を外部に散布可能にする散布手段３を設けてある散布ケース４と、備長炭５とフロート手段であるフロート体７が一緒に袋綴じされている一対の袋体６，６を収容する例を説明したが、本発明はこれに限らず、図５に示すように、外殻かご体１に、抗菌剤２を外部に散布可能にする散布手段３を設けてある散布ケース４と、液体透過性の素材から形成された不織布などからなる袋体６Ａに袋綴じされている小径粒状の集合体である備長炭５と、不織布などからなる袋体６Ｂに袋綴じされたフロート手段であるフロート体７とを収容するものであってもよい。
尚、上記実施形態と同構成部材には同一符号を附してその説明を省略する。
【００４１】
２）　上記実施形態では、外殻かご体１に、抗菌剤２を収容するとともに、散布手段３を設けてある散布ケース４と、備長炭５が袋綴じされている袋体６と、浮力を有するフロート手段であるフロート体７を収容して、洗濯槽の水中攪拌で遊泳可能にする抗菌剤反復散布具Ａを構成する例を説明したが、本発明はこれに限らず、図６に示すように、外殻かご体１内にはフロート体を収容しないで、散布ケース４の底部分に立方形状の発砲スチロールからなるフロート手段であるフロート体７を収容して、洗濯槽の水中攪拌で遊泳可能となる抗菌剤反復散布具Ａを構成するものであってもよい。
この場合、散布ケース４に抗菌剤２の散布手段３が施されているので、図７に示すように、単独の散布ケース４を抗菌剤反復散布具Ａとして用いてもよい。
また、フロート手段としては、散布ケース４の少なくともケース本体４Ａ，　ケース蓋体４Ｄのいずれかがフロート素材から形成されているものであってもよい。
尚、上記実施形態と同構成部材には同一符号を附してその説明を省略する。
【００４２】
３）　上記実施形態の散布手段３は、開閉蓋付の散布ケース４のケース本体４Ａに収容された抗菌剤２と、抗菌剤２の露出表面を覆う押さえ布３Ａと、この押さえ布３Ａに対応する板状の孔付き押さえ板３Ｂと、この孔付き押さえ板３Ｂとケース蓋体４Ｄとの間に介在した圧縮弾性体であるコイルスプリング３Ｃと、ケース蓋体４Ｄの底中央に穿孔された散布孔４Ｅを備えて構成されているものについて説明したが、本発明はこれに限らず、図８に示すように、ケース本体４Ａにケース蓋体４Ｄが螺合する密閉容器から構成された散布ケース４を用いて、散布手段３が、この密閉容器のケース蓋体４Ｄに穿孔した少なくとも一つの小径孔４Ｆから構成されているものであってもよい。
この場合、上記実施形態と同様に溶出制御剤ａを混練した粉末状集合体の形態をとる無機系の抗菌素材２Ａを含む固形化された抗菌剤２を用いると，部分的な溶け出しを設定しやすくなるので、実施上好ましい。
また、他の散布手段３としては、図９に示すように、散布ケース４として，両端部（一端部のみでもよい）が開口する筒状体を用いて、筒内に溶出制御剤ａを混練した粉末状集合体の形態をとる抗菌剤２を収容する構成等を採用して、容器開口４ａと対応して露出する抗菌剤面２ａとが、同面積を形成することによって、収容されている抗菌剤の一部が水中散布される構造を得るものであってもよい。
【００４３】
さらに、他の散布手段３として、長尺の可撓性のチューブ内に溶出制御剤ａを混練した粉末状集合体の形態をとる抗菌剤２を収容する構成のものであってもよい。
【００４４】
４）　上記実施形態では、外殻かご体１に、備長炭５が袋綴じされている袋体６を備えるものについて説明したが、本発明はこれに限らず、唯単に外殻かご体１に、散布手段３を備えた抗菌剤２を収容する散布ケース４を備える構成であってもよい。
【００４５】
５）　上記実施形態では，　固形状の形態をとる抗菌剤２を用いた例を説明したが、本発明はこれに限らず、少なくとも、粉末状、小粒状、小片状の形態をとる抗菌剤を用いても、粘土状やゼリー状の形態をとる抗菌剤を用いてもよい。
【００４６】
６）　上記実施形態では、抗菌剤反復散布具Ａを洗濯槽の抗菌に用いる例について説明したが、本発明はこれに限らず、浴槽等の抗菌に用いてもよい。
【図面の簡単な説明】
【図１】本発明を適用した実施形態の抗菌剤反復散布具を示す断面図
【図２】図１とは組み付け構造を異にする抗菌剤反復散布具を示す断面図
【図３】抗菌剤反復散布具を分解状態で示す断面図
【図４】散布手段を備えた散布ケースを分解して示す断面図
【図５】本発明を適用した別実施形態の抗菌剤反復散布具を分解状態で示す断面図
【図６】本発明を適用した別実施形態の抗菌剤反復散布具を示す断面図
【図７】散布ケースのみで抗菌剤反復散布具を構成する別実施形態を示す断面図
【図８】散布ケースのみで抗菌剤反復散布具を構成する別実施形態を示す断面図
【図９】別の散布手段を設けた抗菌剤反復散布具を示す簡略断面図
【符号の説明】
Ａ　　　　　　抗菌剤反復散布具
ａ　　　　　　溶出制御剤
１　　　　　　外殻かご体
２　　　　　　抗菌剤
３　　　　　　散布手段
４　　　　　　散布ケース
５　　　　　　備長炭
６　　　　　　袋体
７　　　　　　フロート体
【図１】
2004065460.tif 000003
【図２】
2004065460.tif 000004
【図３】
2004065460.tif 000005
【図４】
2004065460.tif 000006
【図５】
2004065460.tif 000007
【図６】
2004065460.tif 000008
【図７】
2004065460.tif 000009
【図８】
2004065460.tif 000010
【図９】
2004065460.tif 000011